【手続補正書】
【提出日】平成22年12月20日(2010.12.20)
【手続補正１】
【補正対象書類名】特許請求の範囲
【補正対象項目名】全文
【補正方法】変更
【補正の内容】
【特許請求の範囲】
【請求項１】
近接無線通信により外部機器と通信するための通信手段と、
リモコンから送信されるリモコン信号を受信する受信手段と、
前記リモコンによる操作を許可するか禁止するかのリモコン設定を記憶する記憶手段と、
前記通信手段を通じて、前記外部機器と前記近接無線通信による接続が確立しているか切断されているかを判別する判別手段と、
前記判別手段により前記接続が確立していると判別された場合には、前記リモコン設定にかかわらず、前記受信手段が受信した前記リモコン信号に応じた動作を実行する制御手段とを有することを特徴とする通信装置。
【請求項２】
近接無線通信により外部機器と通信するための通信手段と、
リモコンから送信されるリモコン信号を受信する受信手段と、
前記リモコンによる操作を許可するか禁止するかのリモコン設定を記憶する記憶手段と、
前記通信手段を通じて、前記外部機器と前記近接無線通信による接続が確立しているか切断されているかを判別する判別手段と、
前記判別手段により前記接続が確立していると判別された場合、前記リモコン設定が前記リモコンによる操作を禁止する設定であれば、前記リモコンによる操作を許可する設定に変更する変更手段と、
前記リモコン設定が前記リモコンによる操作を許可する設定の場合に前記受信手段が受信した前記リモコン信号に応じた動作を制御する制御手段とを有することを特徴とする通信装置。
【請求項３】
前記リモコン設定を変更した後、前記判別手段により前記接続が切断されていると判別された場合、前記変更手段は、前記リモコン設定を前記リモコンによる操作を禁止する設定に復帰させることを特徴とする請求項２記載の通信装置。
【請求項４】
前記判別手段は、前記受信手段により前記リモコン信号を受信したことに応じて、前記判別を行うことを特徴とする請求項１乃至請求項３のいずれか１項に記載の通信装置。
【請求項５】
前記判別手段は、前記通信手段から送信した所定の信号に対する応答を前記通信手段が前記外部機器から受信した場合に、前記接続が確立していると判別することを特徴とする請求項１乃至請求項４のいずれか１項に記載の通信装置。
【請求項６】
前記通信手段が、前記所定の信号を定期的に送信することを特徴とする請求項５に記載の通信装置。
【請求項７】
近接無線通信により外部機器と通信するための通信手段を有し、通信設定に応じて前記外部機器へデータを送信する機器もしくは前記外部機器からのデータを受信する機器のいずれかとして動作可能な通信装置であって、
リモコンから送信されるリモコン信号を受信する受信手段と、
前記リモコンによる操作を許可するか禁止するかのリモコン設定を記憶する記憶手段と、
前記通信設定が、前記通信装置を前記外部機器へデータを送信する機器として動作させる設定である場合は、前記リモコン設定にかかわらず、前記受信手段が受信した前記リモコン信号に応じた動作を実行する制御手段とを有することを特徴とする通信装置。
【請求項８】
近接無線通信により外部機器と通信するための通信手段を有し、通信設定に応じて前記外部機器へデータを送信する機器もしくは前記外部機器からのデータを受信する機器のいずれかとして動作可能な通信装置であって、
リモコンから送信されるリモコン信号を受信する受信手段と、
前記リモコンによる操作を許可するか禁止するかのリモコン設定を記憶する記憶手段と、
前記通信設定が、前記通信装置を前記外部機器からデータを受信する機器として動作させる設定である場合は、前記リモコン設定にかかわらず、前記受信手段が受信した前記リモコン信号に応じた動作を禁止する制御手段とを有することを特徴とする通信装置。
【請求項９】
近接無線通信により外部機器と通信するための通信手段を有し、通信設定に応じて前記外部機器へデータを送信する機器もしくは前記外部機器からのデータを受信する機器のいずれかとして動作可能な通信装置であって、
リモコンから送信されるリモコン信号を受信する受信手段と、
前記リモコンによる操作を許可するか禁止するかのリモコン設定を記憶する記憶手段と、
前記通信設定が、前記通信装置を前記外部機器からデータを受信する機器として動作させる設定である場合、前記通信手段を通じて前記外部機器から前記外部機器のリモコン設定を取得する取得手段と、
前記外部機器から取得したリモコン設定と、前記記憶手段に記憶された前記リモコン設定と一致している場合には、前記リモコン設定にかかわらず、前記受信手段が受信した前記リモコン信号に応じた動作を禁止する制御手段とを有することを特徴とする通信装置。
【請求項１０】
近接無線通信により外部機器と通信するための通信手段を有し、通信設定に応じて前記外部機器へデータを送信する機器もしくは前記外部機器からのデータを受信する機器のいずれかとして動作可能な通信装置であって、
リモコンから送信されるリモコン信号を受信する受信手段と、
前記リモコンによる操作を許可するか禁止するかのリモコン設定を記憶する記憶手段と、
前記通信設定が、前記通信装置を前記外部機器へデータを送信する機器として動作させる設定である場合、前記リモコン設定が前記リモコンによる操作を禁止する設定であれば、前記リモコンによる操作を許可する設定に変更する変更手段と、
前記リモコン設定が前記リモコンによる操作を許可する設定の場合に前記受信手段が受信した前記リモコン信号に応じた動作を制御する制御手段とを有することを特徴とする通信装置。
【請求項１１】
近接無線通信により外部機器と通信するための通信手段を有し、通信設定に応じて前記外部機器へデータを送信する機器もしくは前記外部機器からのデータを受信する機器のいずれかとして動作可能な通信装置であって、
リモコンから送信されるリモコン信号を受信する受信手段と、
前記リモコンによる操作を許可するか禁止するかのリモコン設定を記憶する記憶手段と、
前記通信設定が、前記通信装置を前記外部機器からデータを受信する機器として動作させる設定である場合、前記リモコン設定が前記リモコンによる操作を許可する設定であれば、前記リモコンによる操作を禁止する設定に変更する変更手段と、
前記リモコン設定が前記リモコンによる操作を許可する設定の場合に前記受信手段が受信した前記リモコン信号に応じた動作を制御する制御手段とを有することを特徴とする通信装置。
【請求項１２】
近接無線通信により外部機器と通信するための通信手段を有し、通信設定に応じて前記外部機器へデータを送信する機器もしくは前記外部機器からのデータを受信する機器のいずれかとして動作可能な通信装置であって、
リモコンから送信されるリモコン信号を受信する受信手段と、
前記リモコンによる操作を許可するか禁止するかのリモコン設定を記憶する記憶手段と、
前記通信設定が、前記通信装置を前記外部機器からデータを受信する機器として動作させる設定である場合に、前記通信手段を通じて前記外部機器から前記外部機器のリモコン設定を取得する取得手段と、
前記外部機器から取得したリモコン設定と、前記記憶手段に記憶された前記リモコン設定とがいずれも前記リモコンによる操作を許可する設定である場合には、前記記憶手段に記憶された前記リモコン設定を前記リモコンによる操作を禁止する設定に変更する変更手段とを有することを特徴とする通信装置。
【請求項１３】
前記記憶手段に記憶された前記リモコン設定を変更した場合、前記変更手段は、前記外部機器との通信が終了した後、前記変更した前記リモコン設定を前記リモコンによる操作を許可する設定に復帰させることを特徴とする請求項１０乃至請求項１２のいずれか１項に記載の通信装置。
【請求項１４】
請求項７記載の通信装置と、請求項８又は請求項９記載の通信装置とから構成されることを特徴とする通信システム。
【請求項１５】
請求項１０記載の通信装置と、請求項１１又は請求項１２記載の通信装置とから構成されることを特徴とする通信システム。
【請求項１６】
コンピュータを、請求項１乃至請求項１３のいずれか１項に記載の通信装置の各手段として機能させるためのプログラム。
【請求項１７】
近接無線通信により外部機器と通信するための通信手段と、
リモコンから送信されるリモコン信号を受信する受信手段と、
前記リモコンによる操作を許可するか禁止するかのリモコン設定を記憶する記憶手段とを有する通信装置の制御方法であって、
前記通信手段を通じた前記外部機器と前記近接無線通信による接続が確立しているか切断されているかを判別手段が判別する判別工程と、
前記判別工程において前記接続が確立していると判別された場合には、前記リモコン設定にかかわらず、前記受信手段が受信した前記リモコン信号に応じた動作を制御手段が実行する制御工程とを有することを特徴とする通信装置の制御方法。
【請求項１８】
近接無線通信により外部機器と通信するための通信手段と、
リモコンから送信されるリモコン信号を受信する受信手段と、
前記リモコンによる操作を許可するか禁止するかのリモコン設定を記憶する記憶手段とを有する通信装置の制御方法であって、
前記通信手段を通じた前記外部機器と前記近接無線通信による接続が確立しているか切断されているかを判別手段が判別する判別工程と、
前記判別工程において前記接続が確立していると判別された場合、前記リモコン設定が前記リモコンによる操作を禁止する設定であれば、前記リモコンによる操作を許可する設定に変更手段が変更する変更工程と、
前記リモコン設定が前記リモコンによる操作を許可する設定の場合に前記受信手段が受信した前記リモコン信号に応じた動作を制御手段が制御する制御工程とを有することを特徴とする通信装置の制御方法。
【請求項１９】
近接無線通信により外部機器と通信するための通信手段と、
リモコンから送信されるリモコン信号を受信する受信手段と、
前記リモコンによる操作を許可するか禁止するかのリモコン設定を記憶する記憶手段とを有し、通信設定に応じて前記外部機器へデータを送信する機器もしくは前記外部機器からのデータを受信する機器のいずれかとして動作可能な通信装置の制御方法であって、
前記通信設定が、前記通信装置を前記外部機器へデータを送信する機器として動作させる設定である場合は、前記リモコン設定にかかわらず、前記受信手段が受信した前記リモコン信号に応じた動作を制御手段が実行する制御工程を有することを特徴とする通信装置の制御方法。
【請求項２０】
近接無線通信により外部機器と通信するための通信手段と、
リモコンから送信されるリモコン信号を受信する受信手段と、
前記リモコンによる操作を許可するか禁止するかのリモコン設定を記憶する記憶手段とを有し、通信設定に応じて前記外部機器へデータを送信する機器もしくは前記外部機器からのデータを受信する機器のいずれかとして動作可能な通信装置の制御方法であって、
前記通信設定が、前記通信装置を前記外部機器からデータを受信する機器として動作させる設定である場合は、前記リモコン設定にかかわらず、前記受信手段が受信した前記リモコン信号に応じた動作を制御手段が禁止する制御工程を有することを特徴とする通信装置の制御方法。
【請求項２１】
近接無線通信により外部機器と通信するための通信手段と、
リモコンから送信されるリモコン信号を受信する受信手段と、
前記リモコンによる操作を許可するか禁止するかのリモコン設定を記憶する記憶手段とを有し、通信設定に応じて前記外部機器へデータを送信する機器もしくは前記外部機器からのデータを受信する機器のいずれかとして動作可能な通信装置の制御方法であって、
前記通信設定が、前記通信装置を前記外部機器からデータを受信する機器として動作させる設定である場合、前記通信手段を通じて前記外部機器から前記外部機器のリモコン設定を取得手段が取得する取得工程と、
前記外部機器から取得されたリモコン設定と、前記記憶手段に記憶された前記リモコン設定と一致している場合には、前記リモコン設定にかかわらず、前記受信手段が受信した前記リモコン信号に応じた動作を制御手段が禁止する制御工程とを有することを特徴とする通信装置の制御方法。
【請求項２２】
近接無線通信により外部機器と通信するための通信手段と、
リモコンから送信されるリモコン信号を受信する受信手段と、
前記リモコンによる操作を許可するか禁止するかのリモコン設定を記憶する記憶手段とを有し、通信設定に応じて前記外部機器へデータを送信する機器もしくは前記外部機器からのデータを受信する機器のいずれかとして動作可能な通信装置の制御方法であって、
前記通信設定が、前記通信装置を前記外部機器へデータを送信する機器として動作させる設定である場合、前記リモコン設定が前記リモコンによる操作を禁止する設定であれば、前記リモコンによる操作を許可する設定に変更手段が変更する変更工程と、
前記リモコン設定が前記リモコンによる操作を許可する設定の場合に前記受信手段が受信した前記リモコン信号に応じた動作を制御手段が制御する制御工程とを有することを特徴とする通信装置の制御方法。
【請求項２３】
近接無線通信により外部機器と通信するための通信手段と、
リモコンから送信されるリモコン信号を受信する受信手段と、
前記リモコンによる操作を許可するか禁止するかのリモコン設定を記憶する記憶手段とを有し、通信設定に応じて前記外部機器へデータを送信する機器もしくは前記外部機器からのデータを受信する機器のいずれかとして動作可能な通信装置の制御方法であって、
前記通信設定が、前記通信装置を前記外部機器からデータを受信する機器として動作させる設定である場合、前記リモコン設定が前記リモコンによる操作を許可する設定であれば、前記リモコンによる操作を禁止する設定に変更手段が変更する変更工程と、
前記リモコン設定が前記リモコンによる操作を許可する設定の場合に前記受信手段が受信した前記リモコン信号に応じた動作を制御手段が制御する制御工程とを有することを特徴とする通信装置の制御方法。
【請求項２４】
近接無線通信により外部機器と通信するための通信手段と、
リモコンから送信されるリモコン信号を受信する受信手段と、
前記リモコンによる操作を許可するか禁止するかのリモコン設定を記憶する記憶手段とを有し、通信設定に応じて前記外部機器へデータを送信する機器もしくは前記外部機器からのデータを受信する機器のいずれかとして動作可能な通信装置の制御方法であって、
前記通信設定が、前記通信装置を前記外部機器からデータを受信する機器として動作させる設定である場合、前記通信手段を通じて前記外部機器から前記外部機器のリモコン設定を取得手段が取得する取得工程と、
前記外部機器から取得したリモコン設定と、前記記憶手段に記憶された前記リモコン設定とがいずれも前記リモコンによる操作を許可する設定である場合には、前記記憶手段に記憶された前記リモコン設定を前記リモコンによる操作を禁止する設定に変更手段が変更する変更工程とを有することを特徴とする通信装置の制御方法。
【手続補正２】
【補正対象書類名】明細書
【補正対象項目名】０００９
【補正方法】変更
【補正の内容】
【０００９】
上述の目的は、近接無線通信により外部機器と通信するための通信手段と、リモコンから送信されるリモコン信号を受信する受信手段と、リモコンによる操作を許可するか禁止するかのリモコン設定を記憶する記憶手段と、通信手段を通じて、外部機器と近接無線通信による接続が確立しているか切断されているかを判別する判別手段と、判別手段により接続が確立していると判別された場合には、リモコン設定にかかわらず、受信手段が受信したリモコン信号に応じた動作を実行する制御手段とを有することを特徴とする通信装置によって達成される。
【手続補正３】
【補正対象書類名】明細書
【補正対象項目名】００１０
【補正方法】変更
【補正の内容】
【００１０】
また、上述の目的は、近接無線通信により外部機器と通信するための通信手段と、リモコンから送信されるリモコン信号を受信する受信手段と、リモコンによる操作を許可するか禁止するかのリモコン設定を記憶する記憶手段と、通信手段を通じて、外部機器と近接無線通信による接続が確立しているか切断されているかを判別する判別手段と、判別手段により接続が確立していると判別された場合、リモコン設定がリモコンによる操作を禁止する設定であれば、リモコンによる操作を許可する設定に変更する変更手段と、リモコン設定がリモコンによる操作を許可する設定の場合に受信手段が受信したリモコン信号に応じた動作を制御する制御手段とを有することを特徴とする通信装置によっても達成される。
【手続補正４】
【補正対象書類名】明細書
【補正対象項目名】００１１
【補正方法】変更
【補正の内容】
【００１１】
また、上述の目的は、近接無線通信により外部機器と通信するための通信手段を有し、通信設定に応じて外部機器へデータを送信する機器もしくは外部機器からのデータを受信する機器のいずれかとして動作可能な通信装置であって、リモコンから送信されるリモコン信号を受信する受信手段と、リモコンによる操作を許可するか禁止するかのリモコン設定を記憶する記憶手段と、通信設定が、通信装置を外部機器へデータを送信する機器として動作させる設定である場合は、リモコン設定にかかわらず、受信手段が受信したリモコン信号に応じた動作を実行する制御手段とを有することを特徴とする通信装置によっても達成される。
【手続補正５】
【補正対象書類名】明細書
【補正対象項目名】００１２
【補正方法】変更
【補正の内容】
【００１２】
また、上述の目的は、近接無線通信により外部機器と通信するための通信手段を有し、通信設定に応じて外部機器へデータを送信する機器もしくは外部機器からのデータを受信する機器のいずれかとして動作可能な通信装置であって、リモコンから送信されるリモコン信号を受信する受信手段と、リモコンによる操作を許可するか禁止するかのリモコン設定を記憶する記憶手段と、通信設定が、通信装置を外部機器からデータを受信する機器として動作させる設定である場合は、リモコン設定にかかわらず、受信手段が受信したリモコン信号に応じた動作を禁止する制御手段とを有することを特徴とする通信装置によっても達成される。
【手続補正６】
【補正対象書類名】明細書
【補正対象項目名】００１３
【補正方法】変更
【補正の内容】
【００１３】
また、上述の目的は、近接無線通信により外部機器と通信するための通信手段を有し、通信設定に応じて外部機器へデータを送信する機器もしくは外部機器からのデータを受信する機器のいずれかとして動作可能な通信装置であって、リモコンから送信されるリモコン信号を受信する受信手段と、リモコンによる操作を許可するか禁止するかのリモコン設定を記憶する記憶手段と、通信設定が、通信装置を外部機器からデータを受信する機器として動作させる設定である場合、通信手段を通じて外部機器から外部機器のリモコン設定を取得する取得手段と、外部機器から取得したリモコン設定と、記憶手段に記憶されたリモコン設定と一致している場合には、リモコン設定にかかわらず、受信手段が受信したリモコン信号に応じた動作を禁止する制御手段とを有することを特徴とする通信装置によっても達成される。
【手続補正７】
【補正対象書類名】明細書
【補正対象項目名】００１４
【補正方法】変更
【補正の内容】
【００１４】
また、上述の目的は、近接無線通信により外部機器と通信するための通信手段を有し、通信設定に応じて外部機器へデータを送信する機器もしくは外部機器からのデータを受信する機器のいずれかとして動作可能な通信装置であって、リモコンから送信されるリモコン信号を受信する受信手段と、リモコンによる操作を許可するか禁止するかのリモコン設定を記憶する記憶手段と、通信設定が、通信装置を外部機器へデータを送信する機器として動作させる設定である場合、リモコン設定がリモコンによる操作を禁止する設定であれば、リモコンによる操作を許可する設定に変更する変更手段と、リモコン設定がリモコンによる操作を許可する設定の場合に受信手段が受信したリモコン信号に応じた動作を制御する制御手段とを有することを特徴とする通信装置によっても達成される。
【手続補正８】
【補正対象書類名】明細書
【補正対象項目名】００１５
【補正方法】変更
【補正の内容】
【００１５】
また、上述の目的は、近接無線通信により外部機器と通信するための通信手段を有し、通信設定に応じて外部機器へデータを送信する機器もしくは外部機器からのデータを受信する機器のいずれかとして動作可能な通信装置であって、リモコンから送信されるリモコン信号を受信する受信手段と、リモコンによる操作を許可するか禁止するかのリモコン設定を記憶する記憶手段と、通信設定が、通信装置を外部機器からデータを受信する機器として動作させる設定である場合、リモコン設定がリモコンによる操作を許可する設定であれば、リモコンによる操作を禁止する設定に変更する変更手段と、リモコン設定がリモコンによる操作を許可する設定の場合に受信手段が受信したリモコン信号に応じた動作を制御する制御手段とを有することを特徴とする通信装置によっても達成される。
【手続補正９】
【補正対象書類名】明細書
【補正対象項目名】００１６
【補正方法】変更
【補正の内容】
【００１６】
また、上述の目的は、近接無線通信により外部機器と通信するための通信手段を有し、通信設定に応じて外部機器へデータを送信する機器もしくは外部機器からのデータを受信する機器のいずれかとして動作可能な通信装置であって、リモコンから送信されるリモコン信号を受信する受信手段と、リモコンによる操作を許可するか禁止するかのリモコン設定を記憶する記憶手段と、通信設定が、通信装置を外部機器からデータを受信する機器として動作させる設定である場合に、通信手段を通じて外部機器から外部機器のリモコン設定を取得する取得手段と、外部機器から取得したリモコン設定と、記憶手段に記憶されたリモコン設定とがいずれもリモコンによる操作を許可する設定である場合には、記憶手段に記憶されたリモコン設定をリモコンによる操作を禁止する設定に変更する変更手段とを有することを特徴とする通信装置によっても達成される。